(57)【要約】【課題】  録画した放送番組を移動端末機で視聴する利用形態に関連して、ユーザーにとって使い勝手のよい放送受信装置及び放送番組視聴方法を提供することを目的とする。【解決手段】  取得したＥＰＧデータがメモリカード１１９に書き込まれる（ステップ３０２）。次に、ＥＰＧデータをメモリカード１１９から読み出し、映像表示器１５１にＥＰＧを表示する（ステップ３０４）。次に、ＥＰＧを参照しながら、メモリカード１１９に記録したい簡易動画の録画予約情報をメモリカード１１９に書き込む（ステップ３０５）。次に、メモリカード１１９に書き込まれた録画予約情報に基づいて簡易動画の録画予約が行われる（ステップ３０７）。録画予約情報に基づき、その番組の録画が実行される（ステップ３０８）。次に、記録された簡易動画をメモリカード１１９に転送する。【選択図】      図３
2009246882.tif 000002
【特許請求の範囲】
【請求項１】
デジタル放送に含まれる放送番組を受信する受信手段と、
記録媒体が着脱可能に装着される装着手段と、
前記記録媒体に、外部端末機にて前記放送番組の番組予約情報が書き込まれている場合
に、前記番組予約情報に基づいて予約された放送番組を前記記録媒体に記録する記録手段
と、
を備えたことを特徴とする放送受信装置。
【請求項２】
前記放送番組の番組予約情報が前記記録媒体に書き込まれている場合、前記記録手段は
、前記装着手段に前記記録媒体が装着された後、前記番組予約情報に従った放送番組の記
録を自動的に実行することを特徴とする請求項１に記載の放送受信装置。
【請求項３】
デジタル放送に含まれるＥＰＧデータを取得するＥＰＧ取得手段と、
前記ＥＰＧ取得手段で取得した前記ＥＰＧデータを前記記録媒体に書き込むＥＰＧ書き
込み手段とを備えることを特徴とする請求項１に記載の放送受信装置。
【請求項４】
前記ＥＰＧ書き込み手段は、前記装着手段に前記記録媒体が装着された後、前記ＥＰＧ
データの前記記録媒体への書き込みを自動的に実行することを特徴とする請求項３に記載
の放送受信装置。
【請求項５】
外部端末機に装着された記録媒体に、放送番組の番組予約情報を書き込むステップと、
前記番組予約情報が書き込まれた前記記録媒体を放送受信装置に装着するステップと、
前記番組予約情報に基づいて、予約された放送番組を記録するステップと、
前記記録した放送番組を前記記録媒体に記録するステップと、
前記放送番組が記録された前記記録媒体を前記外部端末機に装着するステップと、
前記外部端末機にて、前記記録媒体から前記放送番組を読み出して再生するステップと
を有することを特徴とする放送番組視聴方法。
【請求項６】
前記放送番組の番組予約情報を書き込むステップは、
前記記録媒体に記録されているＥＰＧデータに基いて前記番組予約情報を書き込むステッ
プを含むことを特徴とする請求項５に記載の放送番組視聴方法。
【請求項７】
デジタル放送に含まれる放送番組を記録する記録手段と、
記録媒体が着脱可能に装着される装着手段と、
前記記録手段で記録された放送番組の番組リストを前記装着手段に装着された前記記録
媒体に書き込む番組リスト書込手段と、
この番組リスト書込手段が前記番組リストを前記記録媒体に書き込んだ後に前記記録媒
体が一旦外され、再び前記記録媒体が前記装着手段に装着された後、前記番組リストの中
の任意の放送番組が外部端末機にて選択された放送番組選択情報が前記記録媒体に書き込
まれていた場合に、前記放送番組選択情報に基づく放送番組を前記記録媒体に記録する制
御手段と、
を具備したことを特徴とする放送受信装置。
【請求項８】
記録済みの放送番組の番組リストを記録媒体に書き込むステップと、
前記番組リストが書き込まれた前記記録媒体を外部端末機に装着するステップと、
前記外部端末機にて前記録画番組リストを読み出し、前記録画番組リストの中の任意の
番組を選択することで、放送番組選択情報を前記記録媒体に書き込むステップと、
前記放送番組選択情報が書き込まれた前記記録媒体を放送受信装置に装着するステップ
と、
前記放送番組選択情報に基づいて、記録済みの放送番組を前記記録媒体に記録するステ
ップと、
を有することを特徴とする放送番組視聴方法。
【請求項９】
前記放送番組は、移動端末機向けの放送番組であることを特徴とする請求項１または請
求項７に記載の放送受信装置。
【請求項１０】
デジタル放送に含まれる前記放送番組のデータを更に圧縮するデータ圧縮手段を備え、
前記記録手段は、前記番組予約情報に基づいて予約された放送番組を、前記圧縮手段で
圧縮されたデータとして前記記録媒体に記録することを特徴とする請求項１または請求項
７に記載の放送受信装置。
【発明の詳細な説明】
【技術分野】
【０００１】
この発明は、移動端末機で視聴する番組を記録する放送受信装置に関する。また、この
発明は、番組の視聴方法に関する。
【背景技術】
【０００２】
従来より、テレビジョン放送を記録及び再生する記録再生装置が存在する。このような
記録再生装置は、家庭内における据え置き型の記録再生装置であることが一般的であり、
ユーザーは当該記録再生装置が設置された場所で記録した番組を視聴することが多い。
【０００３】
しかし最近では、携帯電話等の移動端末機（外部端末機）の内蔵メモリに番組を記録し
たり、メモリカードのように着脱可能な小型の記録媒体に番組を記録し、当該番組を外出
中などの記録再生装置が設置された場所以外で視聴するような利用形態も実現されるよう
になっている。
【０００４】
特許文献１には、移動端末機に適した録画データの転送処理を実現する技術が開示され
ている。
【特許文献１】特開２００７−２７４５６２号公報
【発明の開示】
【発明が解決しようとする課題】
【０００５】
上記のように、記録した番組を外出中等で移動端末機を用いて視聴する、という利用形
態が実現されるようになっている。
しかしながら、記録した番組を移動端末機にて視聴する、という利用形態及びこれに関
連する技術については十分な検討が成されているとは言えないというのが実情である。
【０００６】
そこで本発明は、記録した番組を移動端末機で視聴する利用形態に関連して、ユーザー
にとって使い勝手のよい新規な放送受信装置及び放送番組視聴方法を提供することを主た
る目的とする。
【課題を解決するための手段】
【０００７】
本発明は上記課題に鑑みてなされたものであり、その主な特徴は以下のとおりでる。す
なわち、本発明の放送受信装置は、デジタル放送に含まれる放送番組を受信する受信手段
と、記録媒体が着脱可能に装着される装着手段と、前記記録媒体に、外部端末機にて前記
放送番組の番組予約情報が書き込まれている場合に、前記番組予約情報に基づいて予約さ
れた放送番組を前記記録媒体に記録する記録手段と、を備えたことを特徴とする。
【０００８】
また、本発明の放送受信装置は、デジタル放送に含まれる放送番組を記録する記録手段
と、記録媒体が着脱可能に装着される装着手段と、前記記録手段で記録された放送番組の
番組リストを前記装着手段に装着された前記記録媒体に書き込む番組リスト書込手段と、
この番組リスト書込手段が前記番組リストを前記記録媒体に書き込んだ後に前記記録媒体
が一旦外され、再び前記記録媒体が前記装着手段に装着された後、前記番組リストの中の
任意の放送番組が外部端末機にて選択された放送番組選択情報が前記記録媒体に書き込ま
れていた場合に、前記放送番組選択情報に基づく放送番組を前記記録媒体に記録する制御
手段と、を具備したことを特徴とする。
【０００９】
また、本発明の放送番組視聴方法は、外部端末機に装着された記録媒体に、放送番組の
番組予約情報を書き込むステップと、前記番組予約情報が書き込まれた前記記録媒体を放
送受信装置に装着するステップと、前記番組予約情報に基づいて、予約された放送番組を
記録するステップと、  前記記録した放送番組を前記記録媒体に記録するステップと、前
記放送番組が記録された前記記録媒体を前記外部端末機に装着するステップと、前記外部
端末機にて、前記記録媒体から前記放送番組を読み出して再生するステップとを有するこ
とを特徴とする。
【００１０】
また、本発明の放送番組視聴方法は、記録済みの放送番組の番組リストを記録媒体に書
き込むステップと、前記番組リストが書き込まれた前記記録媒体を外部端末機に装着する
ステップと、前記外部端末機にて前記録画番組リストを読み出し、前記録画番組リストの
中の任意の番組を選択することで、放送番組選択情報を前記記録媒体に書き込むステップ
と、前記放送番組選択情報が書き込まれた前記記録媒体を放送受信装置に装着するステッ
プと、前記放送番組選択情報に基づいて、記録済みの放送番組を前記記録媒体に記録する
ステップと、を有することを特徴とする。
【発明の効果】
【００１１】
本発明によれば、移動端末機で視聴する番組を、放送受信装置側にて容易に記録媒体に
記録することができる。そして、当該記録媒体を移動端末機に装着することで、記録済み
の番組を移動端末機にて容易に楽しむことができる。
【発明を実施するための最良の形態】
【００１２】
以下、この発明の最良の実施形態について、図面を参照しながら説明する。図１は、本
実施形態で説明するテレビジョン放送受信装置１１１の外観の一例を概略的に示している
。
【００１３】
すなわち、テレビジョン放送受信装置１１１は、主として、薄型のキャビネット１１２
と、このキャビネット１１２を起立させて支持する支持台１１３とから構成されている。
そして、キャビネット１１２には、例えば液晶表示パネル等を備えた平面パネル型ディス
プレイである映像表示器１１４、１対のスピーカ１１５、操作部１１６、リモートコント
ローラ１１７から送信される操作情報を受ける受光部１１８等が設置されている。
【００１４】
また、このテレビジョン放送受信装置１１１には、例えばＳＤ（Secure Digital）メモ
リカード、ＭＭＣ（Multimedia Card）及びメモリスティック等のメモリカード１１９が
着脱可能となっており、このメモリカード１１９に対して番組や写真等の情報の記録再生
が行なわれるようになっている。
【００１５】
さらに、このテレビジョン放送受信装置１１１には、例えば契約情報等の記録されたメ
モリカード［ＩＣ(integrated circuit)カード］１２０が着脱可能となっている。そして
、このメモリカード１２０に対して契約情報の再生が行なわれるようになっている。
【００１６】
また、このテレビジョン放送受信装置１１１は、第１のＬＡＮ（Local Area Network）
端子１２１、第２のＬＡＮ端子１２２、ＵＳＢ（Universal Serial Bus）端子１２３及び
ＩＥＥＥ(institute of electrical and electronics engineers)１３９４端子１２４を
備えている。
【００１７】
このうち、第１のＬＡＮ端子１２１は、ＬＡＮ対応ＨＤＤ専用ポートとして使用される
もので、接続されたＮＡＳ（Network Attached Storage）であるＬＡＮ対応のＨＤＤ１２
５に対して、イーサネット（登録商標）により情報の記録再生を行なうために使用される
。
【００１８】
このように、ＬＡＮ対応ＨＤＤ専用ポートとしての第１のＬＡＮ端子１２１を設けるこ
とにより、他のネットワーク環境やネットワーク使用状況等に影響されることなく、ＨＤ
Ｄ１２５に対してハイビジョン画質による番組の情報記録を安定して行なうことができる
。
【００１９】
また、第２のＬＡＮ端子１２２は、イーサネット（登録商標）を用いた一般的なＬＡＮ
対応ポートとして使用されるもので、例えばハブ１２６を介して、ＬＡＮ対応のＨＤＤ１
２７、ＰＣ(Personal Computer)１２８、デジタル放送受信機能を有するＨＤＤ内蔵のＤ
ＶＤ（Digital Versatile Disk）レコーダ１２９等の機器を接続し、これらの機器と情報
伝送を行なうために使用される。
【００２０】
なお、ＤＶＤレコーダ１２９については、第２のＬＡＮ端子１２２を介して通信される
デジタル情報が制御系のみの情報であるため、テレビジョン放送受信装置１１１との間で
アナログの映像及び音声情報を伝送するために、専用のアナログ伝送路１３０を設ける必
要がある。
【００２１】
さらに、この第２のＬＡＮ端子１２２は、ハブ１２６に接続されたブロードバンドルー
タ１３１を介して、例えばインターネット等のネットワーク１３２に接続可能であり、こ
のネットワーク１３２を介してＰＣ１３３や携帯電話１３４等の各種情報端末と情報伝送
を行なうために使用される。
【００２２】
また、上記ＵＳＢ端子１２３は、一般的なＵＳＢ対応ポートとして使用されるもので、
例えばハブ１３５を介して、携帯電話１３６、デジタルカメラ１３７、メモリカードに対
するカードリーダ／ライタ１３８、ＨＤＤ１３９、キーボード１４０等のＵＳＢ機器を接
続し、これらのＵＳＢ機器と情報伝送を行なうために使用される。
【００２３】
さらに、上記ＩＥＥＥ１３９４端子１２４は、例えば、それぞれがデジタル放送受信機
能を有するＡＶ(audio video)−ＨＤＤ１４１、Ｄ（Digital）−ＶＨＳ（Video Home Sys
tem）１４２等をシリアル接続し、これらの機器と情報伝送を行なうために使用される。
【００２４】
なお、上述したＨＤＤ１２５、１２７、１３９はテレビジョン放送受信装置１１１の外
部機器のように描かれているが、テレビジョン放送受信装置１１１とＨＤＤとが一体型に
なった構成（いわゆるＨＤＤ内臓型テレビジョン）であってもよい。かかる構成では、内
蔵ＨＤＤに対して番組の記録及び再生を行うことが出来る。
【００２５】
また、図１には、本実施形態で説明する移動端末機の一例として携帯電話機１５０の外
観を概略的に示している。すなわち携帯電話機１５０は、液晶表示パネル等を備えた映像
表示器１５１と、操作部１５２とを備えている。携帯電話機１５０は、メモリカード１１
９の装着部を備えており、メモリカード１１９が着脱可能となっている。そして、携帯電
話機１５０に装着したメモリカード１１９に対して、ワンセグ放送を受信した番組や、内
蔵カメラで撮影した動画や写真等のデータの記録や再生が行なわれるようになっている。
なお、メモリカード１１９に、ワンセグ放送ではない番組、つまり通常の１２セグ放送の
番組のデータが記録されていた場合に、携帯電話機１５０側で通常放送の番組データの再
生が行われるように構成されていてもよい。
【００２６】
図２は、上記したテレビジョン放送受信装置１１１の主要な信号処理系の一例を示して
いる。すなわち、ＢＳ／ＣＳデジタル放送受信用のアンテナ２４３で受信した衛星デジタ
ル放送信号は、入力端子２４４を介して衛星デジタル放送用のチューナ２４５に供給され
ることにより、所望のチャンネルの放送信号が選局される。
【００２７】
そして、このチューナ２４５で選局された放送信号は、ＰＳＫ（Phase Shift Keying）
復調器２４６に供給されてＴＳ(Transport Stream)が復調される。このＴＳは、ＴＳ復号
器２４７に供給されてデジタルの映像信号、音声信号、データ信号等に復号化された後、
信号処理部２４８に出力される。
【００２８】
また、地上波放送受信用のアンテナ２４９で受信した地上デジタルテレビジョン放送信
号は、入力端子２５０を介して地上デジタル放送用のチューナ２５１に供給されることに
より、所望のチャンネルの放送信号が選局される。
【００２９】
そして、このチューナ２５１で選局された放送信号は、ＯＦＤＭ（Orthogonal Frequen
cy Division Multiplexing）復調器２５２に供給されてＴＳが復調される。このＴＳは、
ＴＳ復号器２５３に供給されてデジタルの映像信号、音声信号、データ信号等に復号化さ
れた後、上記信号処理部２４８に出力される。
【００３０】
なお、現在の地上デジタル放送は、放送信号が１３セグメントに分けられて伝送されて
いる。そして、その内の１２のセグメントを用いて通常の番組の放送（通常放送と称する
）を行い、残りの一つのセグメントで携帯電話機１５０等の移動端末機での受信及び視聴
を想定した簡易動画の番組の放送（移動端末機向け放送と称する）が行われている。この
一つのセグメントの放送は、いわゆるワンセグ放送とも呼ばれている。アンテナ２４９及
びチューナ２５１は、地上デジタル放送の移動端末機向け放送を受信する機能を有してい
る。すなわち、テレビジョン放送受信装置１１１は、移動端末機向け放送の番組（簡易動
画）を受信する手段を備えている。
【００３１】
なお、地上波放送受信用のアンテナ２４９で受信した地上アナログテレビジョン放送信
号は、入力端子２５０を介して地上アナログ放送用のチューナ（不図示）に供給されるこ
とにより、所望のチャンネルの放送信号が選局される。そして、このチューナで選局され
た放送信号は、アナログ復調器（不図示）に供給されてアナログの映像信号及び音声信号
に復調された後、上記信号処理部２４８に出力される。
【００３２】
そして、信号処理部２４８は、テレビ視聴時には、ＴＳ復号器２４７およびＴＳ復号器
２５３からそれぞれ供給されたデジタルの映像信号及び音声信号に対して、選択的に所定
のデジタル信号処理を施し、グラフィック処理部２５４及び音声処理部２５５に出力して
いる。また、制御部２６１に含まれるチャンネル情報検出部２５６には、ＴＳ復号器２４
７及びＴＳ復号器２５３からデータが供給される。
【００３３】
制御部２６１には、信号処理部２４８やＴＳ復号器２４７，２５３から、番組を取得す
るための各種データや電子番組ガイド（ＥＰＧ）データ，番組属性情報（番組ジャンル等
），字幕情報等（サービス情報、ＳＩやＰＳＩ）が入力されている。制御部２６１は番組
表作成制御部２９０を備えている。この番組表作成制御部２９０は、入力された情報から
ＥＰＧを作成するための制御を行う。制御部２６１では、番組表作成制御部２９０に基づ
いて作成されたＥＰＧや、字幕を表示するため画像生成処理を行い、この生成した画像情
報をグラフィック処理部２５４へ出力する。
【００３４】
グラフィック処理部２５４は、信号処理部２４８から供給されるデジタルの映像信号に
ＯＳＤ（On Screen Display）信号生成部２５７で生成されるＯＳＤ信号を重畳して出力
する機能を有する。また、このグラフィック処理部２５４は、信号処理部２４８の出力映
像信号と、ＯＳＤ信号生成部２５７の出力ＯＳＤ信号とを選択的に出力することや、両出
力をそれぞれ画面の半分を構成するように組み合わせて出力することができる。
【００３５】
グラフィック処理部２５４から出力されたデジタルの映像信号は、映像処理部２５８に
供給される。この映像処理部２５８は、入力されたデジタルの映像信号を、前記映像表示
器１１４で表示可能なフォーマットのアナログ映像信号に変換した後、映像表示器１１４
に出力して映像表示させるとともに、出力端子２５９を介して外部に導出させる。
【００３６】
また、上記音声処理部２５５は、入力されたデジタルの音声信号を、前記スピーカ１１
５で再生可能なフォーマットのアナログ音声信号に変換した後、スピーカ１１５に出力し
て音声再生させるとともに、出力端子２６０を介して外部に導出させる。また、テレビジ
ョン放送受信装置１１１は、現在時刻を計測する時計２８０を備えている。
【００３７】
テレビジョン放送受信装置１１１は、上記した各種の受信動作を含むその全ての動作を
制御部２６１によって統括的に制御されている。この制御部２６１は、ＣＰＵ（Central 
Processing Unit）等を内蔵しており、前記操作部１１６からの操作情報を受け、または
、リモートコントローラ１１７から前記受光部１１８を介して受信した操作情報を受けて
、その操作内容が反映されるように各部をそれぞれ制御している。
【００３８】
この場合、制御部２６１は、主として、そのＣＰＵが実行する制御プログラムを格納し
たＲＯＭ（Read Only Memory）２６１ａと、該ＣＰＵに作業エリアを提供するＲＡＭ（Ra
ndom Access Memory）２６１ｂと、各種の設定情報及び制御情報等が格納される不揮発性
メモリ２６１ｃとを利用している。
【００３９】
また、この制御部２６１は、カードＩ／Ｆ（Interface）２６５を介して、前記メモリ
カード１１９が装着可能なカードホルダ２６６に接続されている。これによって、制御部
２６１は、カードホルダ２６６に装着されたメモリカード１１９と、カードＩ／Ｆ２６５
を介して情報伝送を行うことができる。
【００４０】
さらに、上記制御部２６１は、カードＩ／Ｆ２６７を介して、メモリカード１２０が装
着可能なカードホルダ２６８に接続されている。これにより、制御部２６１は、カードホ
ルダ２６８に装着されたメモリカード１２０と、カードＩ／Ｆ２６７を介して情報伝送を
行うことができる。
【００４１】
また、上記制御部２６１は、通信Ｉ／Ｆ２６９を介して第１のＬＡＮ端子１２１に接続
されている。これにより、制御部２６１は、第１のＬＡＮ端子１２１に接続されたＬＡＮ
対応のＨＤＤ１２５と、通信Ｉ／Ｆ２６９を介して情報伝送することができる。この場合
、制御部２６１は、ＤＨＣＰ（Dynamic Host Configuration Protocol）サーバ機能を有
し、第１のＬＡＮ端子１２１に接続されたＬＡＮ対応のＨＤＤ１２５にＩＰ（Internet P
rotocol）アドレスを割り当てて制御している。
【００４２】
さらに、上記制御部２６１は、通信Ｉ／Ｆ２７０を介して第２のＬＡＮ端子１２２に接
続されている。これにより、制御部２６１は、第２のＬＡＮ端子１２２に接続された各機
器（図１参照）と、通信Ｉ／Ｆ２７０を介して情報伝送することができる。
【００４３】
また、上記制御部２６１は、ＵＳＢ  Ｉ／Ｆ２７１を介して前記ＵＳＢ端子１２３に接
続されている。これにより、制御部２６１は、ＵＳＢ端子１２３に接続された各機器（図
１参照）と、ＵＳＢ  Ｉ／Ｆ２７１を介して情報伝送することができる。
【００４４】
さらに、上記制御部２６１は、ＩＥＥＥ１３９４  Ｉ／Ｆ２７２を介してＩＥＥＥ１３
９４端子１２４に接続されている。これにより、制御部２６１は、ＩＥＥＥ１２４に接続
された各機器（図１参照）と、ＩＥＥＥ１３９４  Ｉ／Ｆ２７２を介して情報伝送するこ
とができる。
【００４５】
また、制御部２６１には、受信した放送番組の録画を制御する録画制御部２９１を備え
ている。すなわち、録画制御部２９１の制御に基づいて、受信した番組（通常放送の番組
及び簡易動画の番組の両者を含む）は、所定の記録媒体に記録される。ここでいう所定の
記録媒体は、ＨＤＤ１２５、１２７、１３９、メモリカード１１９、１２０または内蔵Ｈ
ＤＤであってもよいし、ＤＶＤレコーダ１２９等でもよい。なお、記録媒体へ簡易動画の
番組を記録する際には、通常の番組とは別のファイルとして記録させてもよいし、通常の
番組と同じファイルとして記録させてもよい。
【００４６】
なお、記録された番組に関するデータは、制御部２６１の制御に基づいてメモリカード
１１９に記録することが可能である。
また、携帯電話機１５０のユーザーの操作によって、メモリカード１１９にユーザーが
視聴したい簡易動画の予約情報が書き込まれている場合、録画制御部２９１は当該番組予
約情報に基づいて予約された簡易動画を所定の記録媒体に記録するように制御する。なお
、録画制御部２９１は、番組予約情報に基づいて簡易動画を直接メモリカード１１９に記
録するように制御してもよいし、内蔵ＨＤＤやＨＤＤ１２５等の他の記録媒体（メモリカ
ード１１９以外の記録媒体）に一旦記録し、その後に記録済みの簡易動画をメモリカード
１１９にコピーあるいは移動できるように制御してもよい。
【００４７】
次に、第１の実施形態に係るテレビジョン放送受信装置１１１及び携帯電話機１５０の
動作について、図３のフローチャートを参照しながら説明する。
まず、テレビジョン放送受信装置１１１にて、信号処理部２４８やＴＳ復号器２４７，
２５３から制御部２６１に、デジタル放送に含まれる電子番組ガイド（ＥＰＧ）データが
入力される。当該ＥＰＧデータは、例えば不揮発性メモリ２６１ｃに格納され、随時更新
される（ステップ３０１）。なお、当該ＥＰＧデータは、１日分、１週間分あるいは１ヶ
月分であってもよく、そのデータ量は任意である。また、当該ＥＰＧデータは、通常放送
用とワンセグ放送用（移動端末機向け）がある。
【００４８】
次に、カードホルダ２６６を介して、メモリカード１１９がテレビジョン放送受信装置
１１１に装着される。あるいは、メモリカード１１９を予めカードホルダ２６６に装着し
ておいてもよい。
【００４９】
次に、ステップ３０１で取得したＥＰＧデータが制御部２６１の制御に従って、メモリ
カード１１９に書き込まれる（ステップ３０２）。なお、当該ＥＰＧデータに通常放送用
とワンセグ放送用の少なくとも２種類あった場合、メモリーカード１１９にはその両者の
データを書き込んでもよいし、いずれか一方のみであってもよい。つまり、ワンセグ放送
用の簡易動画を携帯電話機１５０で視聴したい場合には、ワンセグ放送用のＥＰＧデータ
を書き込むのみで十分であり、通常放送用の番組を携帯電話機１５０で視聴したい場合に
は通常放送用のＥＰＧデータを書き込めばよい。
【００５０】
このようなＥＰＧデータのメモリカード１１９への書き込みは、メモリカード１１９が
カードホルダ２６６に装着されたことをトリガーとして自動的に行われるように制御部２
６１が制御する設定であることが、ユーザーの使い勝手を向上させる上で好ましい。ある
いは、ユーザーによる操作部１１６またはリモートコントローラ１１７の操作に応じて、
ＥＰＧデータをメモリカード１１９に書き込むか否かが選択できるＧＵＩ（Graphical Us
er Interface）を映像表示器１１４に表示し、いずれかの動作をユーザーが選択できる構
成であってもよい。
【００５１】
なお、ＥＰＧデータをメモリーカード１１９に書き込むに際して、ＥＰＧデータを移動
端末機向けにデータ変換処理した上でメモリカード１１９に書き込んでもよい。メモリカ
ード１１９に書き込まれるＥＰＧデータのフォーマットとしては、携帯電話機１５０で表
示可能なフォーマット（例えばＨＴＭＬ形式）である必要がある。図４は、当該ステップ
でメモリーカード１１９に特定のファイル名（この例では例えば"電子番組表.html"とす
る）にて書き込まれるＨＴＭＬ形式で書かれたＥＰＧデータの一例を示している。このよ
うに、ＥＰＧデータのフォーマットとしてＨＴＭＬ形式を用いることが出来る。また、他
のフォーマットとしては、専用のＪａｖａ（登録商標）アプリなどを使用したテキスト形
式のデータベースやＢｉｎａｌｙデータなどを用いてもよい。
【００５２】
次に、テレビジョン放送受信装置１１１からメモリカード１１９を取り外し、携帯電話
機１５０に装着させる（ステップ３０３）。次に、操作部１５２の所定の操作により、ス
テップ３０２で書き込まれたＥＰＧデータ（"電子番組表.html"）をメモリカード１１９
から読み出し、携帯電話機１５０が有する機能（本実施形態ではＨＴＭＬブラウザ機能）
を用いて映像表示器１５１にＥＰＧを表示する（ステップ３０４）。
【００５３】
図５は、映像表示器１５１に表示されたＥＰＧの表示形態の一例を示している。このＥ
ＰＧは、水平方向にサービス（放送局）に対応する複数（図５の場合は３つ）のチャンネ
ル表示枠を配列したチャンネル軸４０１と、垂直方向に時系列的に連続した単位時間（図
示の場合は１時間）に対応する複数（図示の場合は３時間分）の時間枠４０２を配列した
時間軸とが配列されている。そして、放送が予定されている各番組のタイトル等の各種情
報（Ａ１〜Ａ３、Ｂ１〜Ｂ３、Ｃ１〜Ｃ３）が、チャンネル軸４０１と時間軸４０２とで
指定された各領域に表示されるようになっている。また、このＥＰＧでは、当該番組表の
日時を示す表示がなされている。
【００５４】
次にユーザーは、映像表示器１５１に表示されたＥＰＧを参照しながら操作部１５２を
操作して、テレビジョン放送受信装置１１１にてメモリカード１１９に記録したい簡易動
画の番組のチャンネル、開始時刻、終了時刻などを含む録画予約情報を、テレビジョン放
送受信装置１１１側で認識できるデータ形式でメモリカード１１９に書き込む（ステップ
３０５）。より具体的には例えば、録画したい簡易動画のチェックボックス４０３をＥＰ
Ｇ上で選択し、操作部１５２にて決定操作を行うことによって、ＣＧＩなどを利用して選
択した番組の録画予約情報がメモリカード１１９に書き込まれる。また、タッチパッド式
にユーザーが録画したい簡易動画を選択する構成でもよい。
【００５５】
なお、書き込まれる番組予約情報のフォーマットとしては、制御部２６１の制御に基づ
いてテレビジョン放送受信装置１１１側で、その番組予約情報の内容が認識できるフォー
マット、特定のファイル名（この例では例えば"録画予約.html"とする）である必要があ
る。図６（ａ）（ｂ）は、メモリカード１１９に書き込まれる番組予約情報のデータ形式
の一例を示している。このように、番組予約情報のフォーマットとしてＨＴＭＬ形式を用
いることが出来る。図６（ａ）（ｂ）では、番組予約情報としての、日付、録画開始時刻
、録画終了時刻、チャンネル、タイトルが含まれたファイルと、そのＨＴＭＬ形式のデー
タを一例として示している。また、テレビジョン放送受信装置１１１側で認識できるので
あれば、別のフォーマットを用いることも可能である。
【００５６】
なお、デジタル放送には、通常の番組の放送は当然含まれるが、移動端末機向け放送（
簡易動画）が含まれない番組、すなわち放送局側がワンセグに対応した番組を送信しない
場合があることも考えられる。従って、移動端末機向けの放送番組を含まない番組をユー
ザーが選択した場合には、映像表示器１５１にエラー表示するように移動端末機の制御部
が制御する構成であることが好ましい。かかる番組について、仮にテレビジョン放送受信
装置１１１にて録画が実行されたとしても、携帯電話機１５０においては当該番組（通常
の番組）を視聴出来ないことが通常だからである。なお、携帯電話機１５０やメモリーカ
ード１１９の仕様に応じて、携帯電話機１５０にて通常放送の番組を再生できるのであれ
ば、特にエラー表示する構成でなくてもよい。
【００５７】
また、メモリーカード１１９に記録したい番組のデータレートを、いくつかの選択肢（
例えば、低画質（ワンセグデータ形式）または高画質（１２セグデータ形式）など）から
ユーザーが選択でき、当該情報が録画予約情報の一つとして、メモリーカード１１９に書
き込める構成であってもよい。
【００５８】
次にユーザーは、携帯電話機１５０からメモリカード１１９を取り外し、テレビジョン
放送受信装置１１１に装着する（ステップ３０６）。
次に、ステップ３０５にて書き込まれた録画予約情報に基づいて簡易動画の録画予約が
行われる（ステップ３０７）。すなわち、図６（ａ）（ｂ）で示したように、メモリカー
ド１１９に書き込まれた録画予約情報（"録画予約.html"）を録画制御部２９１が存在す
れば読み出し、読み出された録画予約情報は不揮発性メモリ２６１ｃ等に一時記録される
。
【００５９】
この録画予約は、録画予約情報の書き込まれたメモリカード１１９がカードホルダ２６
６に装着されたことをトリガーとして自動的に実行されるように制御される構成であるこ
とが、ユーザーの使い勝手を向上させる上で好ましい。つまり、録画制御部２９１は、メ
モリカード１１９が装着された場合に、メモリカード１１９に録画予約情報が書き込まれ
ているか否かを判定する手段を備え、書き込まれていると判定された場合に、上記予約さ
れた録画を実行することが好ましい。
【００６０】
なお、ユーザーによる操作部１１６またはリモートコントローラ１１７の操作に応じて
映像表示器１１４に、メモリカード１１９から録画予約情報を読み出して録画予約するこ
とを選択できるＧＵＩを表示し、ユーザーの操作で当該録画予約が実行される構成であっ
てもよい。
【００６１】
こうして、簡易動画の録画予約が終了する。録画予約が完了しているため、録画制御部
２９１は、入力された録画予約情報に基づき、目的の簡易動画の番組が放送開始となれば
、予約された番組の録画が実行される（ステップ３０８）。当該簡易動画の番組は、例え
ばＨＤＤ１２５、１２７、１３９やＤＶＤレコーダ１２９等の外部記録媒体に記録される
。なお、本実施形態では、携帯電話機１５０で視聴する簡易動画の番組録画を想定してい
るため、記録されるのは簡易動画のみであってもよい。あるいは、簡易動画の番組の録画
と連動して、固定受信機向けの１２セグメントを用いた通常の番組を録画させるようにし
てもよい。
【００６２】
次に、メモリカード１１９の空き容量等が制御部２６１にて確認され、ステップ３０８
にて記録された簡易動画をメモリカード１１９に転送するか否かが判定される（ステップ
３０９）。メモリカード１１９に当該簡易動画が転送可能であり、転送すると制御部２６
１にて判定された場合には、メモリカード１１９に当該簡易動画が転送される（ステップ
３０９のイエス）。このような録画番組のメモリカード１１９への転送は、ステップ３０
８の予約が実行された後に自動的に行われるように制御される構成であることが、ユーザ
ーの使い勝手を向上させる上で好ましい。携帯電話機１５０で視聴したい簡易動画の番組
を、録画予約していたのであるから、自動的に転送してもユーザーに支障はないと考えら
れるからである。なお、ユーザーによる操作部１１６またはリモートコントローラ１１７
の操作に応じて映像表示器１１４に、例えば図７に示すように、メモリカード１１９への
簡易動画の転送を実行するか否かを選択できるＧＵＩを表示し、ユーザーの操作で当該簡
易動画のデータ転送が行われる設定であってもよい。
【００６３】
なお、ここでいうデータ転送は、コピーであってもよいし移動であってもよい。また、
データ転送が完了したら、ユーザーによる操作部１１６またはリモートコントローラ１１
７の操作に応じて、上記データ転送が転送済みであることをユーザーが確認できるＧＵＩ
を映像表示器１１４に表示できる構成であってもよい。具体的には例えば、録画済みの番
組のリストを映像表示器１１４に表示し、転送済みである場合には、その事を示すアイコ
ンを番組名に隣接させて表示させる構成が考えられる。
【００６４】
次にユーザーは、上記簡易動画の番組が記録されたメモリカード１１９をカードホルダ
２６６から取り外し、携帯電話機１５０に装着する（ステップ３１０）。なお、簡易動画
の録画の実行（ステップ３０８）の際、当該簡易動画の番組をメモリカード１１９に直接
記録する構成であっても構わない。この場合、ステップ３０９は省略することが可能であ
る。
【００６５】
こうして、録画予約された簡易動画の番組がメモリカード１１９に記録される。
次にユーザーは、テレビジョン放送受信装置１１１からメモリカード１１９を取り外し
、携帯電話機１５０に装着する（ステップ３１０）。次に、操作部１５２の所定の操作に
より、簡易動画の番組をメモリカード１１９から取り込み、映像表示器１５１にメモリカ
ード１１９に記録された簡易動画の番組リストを表示することができる（ステップ３１１
）。図８は、当該番組リストの一例である。すなわち、この録画番組リストでは、各番組
について、録画日、録画時刻、番組タイトルがそれぞれ表示されている。ユーザーは、表
示された番組リストから視聴したい所望の番組を操作部１５２の操作で指定することによ
り、その指定した番組をメモリカード１１９から再生して視聴することができる（ステッ
プ３１２）。
【００６６】
本実施形態で特筆すべきは、録画予約のためのテレビジョン放送受信装置１１１側での
操作が少なく、メモリカード１１９に目的の簡易動画を容易に記録することが出来、記録
された簡易動画を携帯電話機１５０で簡単に視聴することが出来る点である。さらに言え
ば、図３を用いて説明したテレビジョン放送受信装置１１１側での選択動作（ステップ３
０２において説明した「メモリカードにＥＰＧを書き込むか否かを選択する動作」、ステ
ップ３０７において説明した「録画予約するか否かを選択する動作」、及びステップ３０
９において説明した「メモリカードに簡易動画を転送するか否かを選択する動作」）を行
わずに、テレビジョン放送受信装置１１１側で自動制御する構成とすることで、テレビジ
ョン放送受信装置１１１側の操作を無くし、ユーザーの使い勝手を向上させることが出来
る。
【００６７】
例えばユーザーは、ＥＰＧデータが書き込まれた（ステップ３０２）メモリカードを外
出するに際して取り外し、移動端末機で視聴したい番組を外出中にチェックし、録画予約
情報をメモリカード１１９に書き込む（ステップ３０５）。
【００６８】
そして帰宅後に、メモリカード１１９をテレビに装着しておく。そして、記録媒体への
簡易動画の記録がなされた（ステップ３０８）後に、メモリカード１１９をテレビから取
り外して携帯電話機１５０に装着する（ステップ３１０）。そして、ユーザーは当該記録
済みの簡易動画を外出中に視聴することができる。上記のとおり、テレビジョン放送受信
装置１１１側での選択動作を行わずに自動制御する構成であれば、ユーザーはテレビジョ
ン放送受信装置１１１を一切操作する必要がないため、使い勝手が非常に良い。
【００６９】
次に、本発明の第２の実施形態に係るテレビジョン放送受信装置１１１及び携帯電話機
１５０の動作について、図９のフローチャートを参照しながら説明する。なお、既に説明
した内容と同内容については、その説明を省略するか簡略する。
【００７０】
まず、テレビジョン放送受信装置１１１にて、録画制御部２９１の制御によって、録画
済みの簡易動画の番組のリストを作成する（ステップ７０１）。この番組リストは、テレ
ビジョン放送受信装置１１１に内蔵された記録媒体あるいは外部接続された記録媒体に記
録された簡易動画の番組のリストである。なお、第１の実施形態では、メモリーカード１
１９に書き込まれた録画予約情報に基づいて録画予約が実行されたが、第２の実施形態で
は、手法の如何にかかわらず、既に携帯電話機１５０で視聴するためのコンテンツが所定
の記録媒体（例えばＨＤＤ１２５、１２７、１３９やＤＶＤレコーダ１２９等の外部記録
媒体）に記録されているものとする。所定の記録媒体への簡易動画の記録は、例えば制御
部２６１の制御に基づく。
【００７１】
次に制御部２６１の制御によって、装着されたメモリカード１１９に、ステップ７０１
にて作成された簡易動画の番組リストを書き込む（ステップ７０２）。ここで書き込むの
は、記録された簡易動画の番組タイトルを少なくとも含むリストであり、他の関連情報（
録画日、録画時刻、番組出演者等の情報、低画質や高画質等を示す画質情報など）をメモ
リカード１１９に書き込んでも構わない。なお、メモリカード１１９に書き込まれる番組
リストのフォーマットとしては、上記したように、携帯電話機１５０で表示可能なフォー
マット（例えば図８を用いて説明したようなＨＴＭＬ形式）である。また、他のフォーマ
ットとしては、専用のＪａｖａ（登録商標）アプリなどを使用したテキスト形式のデータ
ベースやＢｉｎａｌｙデータなどを用いてもよい。
【００７２】
次に、上記番組リストが記録されたメモリカード１１９を、携帯電話機１５０に装着す
る（ステップ７０３）。次に、携帯電話機１５０の所定の操作により、携帯電話機１５０
の制御部（不寿司）は上記番組リストをメモリカード１１９から読み込み、映像表示器１
５１に当該記録済み簡易動画の番組リストを表示する（ステップ７０４）。ここでいう番
組リストは、例えば図８で示したものと同様に、テレビジョン放送受信装置１１１側にて
記録された簡易動画の番組に関する、録画日、録画時刻、番組タイトル、画質情報等が表
示される。
【００７３】
次にユーザーは、携帯電話機１５０に表示された番組リストからメモリカード１１９に
転送したい簡易動画の番組、すなわち携帯電話機１５０で視聴したいコンテンツを操作部
１５２の操作により選択する。例えば、番組リストの各番組の欄にチェックボックスがあ
って、そこにユーザーがチェックを入れる。ユーザーが選択した、という当該情報（以下
、簡易動画選択情報とする）はメモリカード１１９に書き込まれる（ステップ７０５）。
なお、書き込まれる簡易動画選択情報のフォーマットとしては、制御部２６１に基いてテ
レビジョン放送受信装置１１１側で、その選択情報の内容（番組タイトルや録画日時など
）が認識できるフォーマットであり、例えば図６を用いて説明したようなＨＴＭＬ形式で
ある。
【００７４】
次に、簡易動画選択情報が書き込まれたメモリカード１１９をテレビジョン放送受信装
置１１１に装着させる（ステップ７０６）。次に、ステップ７０５において選択された簡
易動画選択情報がメモリカード１１９に書き込まれているかが、制御部２６１の制御に基
づいて確認される（ステップ７０７）。なお、本実施形態では、ステップ７０６において
幾つかの簡易動画の番組が選択されていたとする。
【００７５】
次に、録画制御部２９１は、メモリカード１１９の空き容量を確認し、ステップ７０５
にて選択された簡易動画の番組がメモリカード１１９に転送できるか否かが確認される（
ステップ７０８）。
【００７６】
録画制御部２９１は、メモリカード１１９に、選択された簡易動画を記録できるだけの
十分な空き容量があると判定された場合（ステップ７０８のＹｅｓ）には、選択された簡
易動画の番組のデータがメモリカード１１９に転送する（ステップ７０９）。
【００７７】
このような簡易番組のメモリカード１１９の空き容量の確認及び簡易動画のデータ転送
は、ステップ７０６にてメモリカード１１９がカードホルダ２６６に装着された後に自動
的に行われる構成であることが、ユーザーの使い勝手を向上させる上で好ましい。携帯電
話機１５０で視聴したい簡易動画の番組を、ステップ７０５にて選択したのであるから、
自動的に転送してもユーザーにとって支障はないと考えられるからである。
【００７８】
なお、ユーザーによる操作部１１６またはリモートコントローラ１１７の操作に応じて
映像表示器１１４に、例えば図５に示したのと同様に、メモリカード１１９への簡易動画
の転送を実行するか否かを選択できるＧＵＩを表示し、ユーザーの操作で簡易動画のデー
タ転送が行われる設定であってもよい。
【００７９】
こうして、メモリカード１１９に、ステップ７０５にて選択した簡易動画の番組が記録
される。
次にユーザーは、簡易動画の番組が記録されたメモリカード１１９をカードホルダ２６
６から取り外し、携帯電話機１５０に装着する（ステップ７１０）。次に、携帯電話機１
５０の所定の操作により、記録された簡易動画の番組をメモリカード１１９から取り込み
、映像表示器１５１にメモリカード１１９に記録された簡易動画の番組のリストを表示す
る（ステップ７１１）。
【００８０】
次にユーザーは、表示されたリストから所望の番組を指定することにより、その指定し
た番組をメモリカード１１９から再生して視聴することができる（ステップ７１２）。
【００８１】
一方、メモリカード１１９に十分な空き容量が無く、選択された簡易動画が転送できな
いと判断された場合（ステップ７０８のＮｏ）には、その旨を示すエラー表示を映像表示
器１１４に表示し（ステップ７１３）、空き容量が十分なメモリカード１１９を挿入する
ことをユーザーに促す。
【００８２】
第２の実施形態では、テレビジョン放送受信装置１１側で予め簡易動画を記録しておく
ことを要するが、携帯電話機１５０で視聴する目的の簡易動画を容易に選択し、メモリカ
ード１１９に記録済みの簡易動画を容易に記録することができ、携帯電話機１５０で簡単
に当該簡易動画を視聴することが出来る。さらに言えば、上記したテレビジョン放送受信
装置１１１側での選択動作（ステップ７０２において説明した「メモリカードに録画番組
リストを書き込むか否かを選択する動作」、ステップ７０８において説明した「メモリカ
ードに簡易動画を転送するか否かを選択する動作」）を行わず、テレビジョン放送受信装
置１１１側で自動制御する構成とすることで、テレビジョン放送受信装置１１１側の操作
を少なくし、ユーザーの使い勝手を向上させることが出来る。
【００８３】
例えばユーザーは、ステップ７０２にて記録済みの簡易動画の番組リストが書き込まれ
たメモリカードを外出するに際して取り外し、移動端末機で視聴したい番組を当該番組リ
ストを用いて外出中にチェックし、簡易動画選択情報をメモリカード１１９に書き込む（
ステップ７０５）。
【００８４】
そして帰宅後に、メモリカード１１９をテレビジョン放送受信装置１１１に装着してお
く。そして、メモリカード１１９への簡易動画の記録がステップ７０９にてなされた後に
、メモリカード１１９を取り外して携帯電話機１５０に装着する（ステップ７１０）。そ
して、ユーザーは当該簡易動画を外出中にて視聴することができる。上記のとおり、テレ
ビジョン放送受信装置１１１側での選択動作を行わずに自動制御する構成であれば、ユー
ザーはテレビジョン放送受信装置１１１を操作するが少ないため、使い勝手が非常に良い
。
【００８５】
なお、本発明は上記実施形態そのままに限定されるものではなく、実施段階ではその要
旨を逸脱しない範囲で構成要素を変形して具体化できる。
例えば、上記実施形態ではいわゆる１セグ放送の番組を移動端末機で視聴することを説
明したが、通常放送の番組を記録媒体に記録し、当該通常放送の番組を移動端末機側で視
聴できる構成であってもよい。つまり、最終的に移動端末機で視聴する番組は移動端末機
向け放送（いわゆるワンセグ方法）の番組に限定されていない。また、デジタル放送に含
まれるある形式（例えばＭＰＥＧ２形式）で受信した放送番組を、別の形式（例えばＭＰ
ＥＧ４形式）にエンコード（このとき、更に画素数も減らす）し、この更にデータ変換（
圧縮）された番組を記録媒体（上記実施形態ではメモリーカード１１９）に記録し、当該
圧縮された番組を移動端末機にて視聴するように構成してもよい。すなわち、この場合の
テレビジョン放送受信装置１１１は、放送番組を更に圧縮するデータ変換手段（圧縮手段
）を備え、この圧縮された番組データを記録媒体に記録する。かかる構成によれば、例え
ば衛星放送では移動体向け放送は行われていないが、ＭＰＥＧ４形式にてエンコードする
ことで、衛星放送も移動端末機で容易に視聴することができるようになる。また、上記実
施形態に開示されている複数の構成要素の適宜な組み合わせにより、種々の発明を形成で
きる。例えば、実施形態に示される全構成要素から幾つかの構成要素を削除してもよい。
さらに、異なる実施形態にわたる構成要素を適宜組み合わせてもよい。
【図面の簡単な説明】
【００８６】
【図１】本実施形態に係る放送受信装置の外観を説明するための図である。
【図２】本実施形態に係る放送受信装置の主要な信号処理系を示す図である。
【図３】第１の実施形態に係るテレビジョン放送受信装置及び携帯電話機の動作を示すフローチャート図である。
【図４】メモリーカードに書き込まれるＥＰＧデータのフォーマットを説明するための図である。
【図５】本実施形態に係るＥＰＧを示す図である。
【図６】メモリーカードに書き込まれる番組予約情報のフォーマットを説明するための図である。
【図７】本実施形態に係るテレビジョン放送受信装置の動作を示す図である。
【図８】本実施形態に係る番組リストを示す図である。
【図９】第２の実施形態に係るテレビジョン放送受信装置及び携帯電話機の動作を示すフローチャート図である。
【符号の説明】
【００８７】
１１１…テレビジョン放送受信装置、１１２…キャビネット、１１３…支持台、１１４
…映像表示器、１１５…スピーカ、１１６…操作部、１１７…リモートコントローラ、１
１８…受光部、１１９…メモリカード、１２０…メモリカード、１２１…第１のＬＡＮ端
子、１２２…第２のＬＡＮ端子、１２３…ＵＳＢ端子、１２４…ＩＥＥＥ端子、１２５…
ＨＤＤ、１２６…ハブ、１２７…ＨＤＤ、１２８…ＰＣ、１２９…ＤＶＤレコーダ、１３
０…アナログ伝送路、１３１…ブロードバンドルータ、１３２…ネットワーク、１３３…
ＰＣ、１３４…携帯電話、１３５…ハブ、１３６…携帯電話、１３７…デジタルカメラ、
１３８…カードリータ/ライタ、１３９…ＨＤＤ、１４０…キーボード、１４１…ＡＶ−
ＨＤＤ、１４２…Ｄ−ＶＨＳ、１５０…携帯電話機、１５１…操作部、２４３…アンテナ
、２４４…入力端子、２４５…チューナ、２４６…ＰＳＫ復調器、２４７…ＴＳ復号器、
２４８…信号処理部、２４９…アンテナ、２５０…入力端子、２５１…チューナ、２５２
…ＯＦＤＭ復調器、２５３…ＴＳ復号器、２５４…グラフィック処理部、２５５…音声処
理部、２５６…チャンネル情報検出部、２５７…ＯＳＤ信号生成部、２５８…映像処理部
、２５９…出力端子、２６０…出力端子、２６１…制御部、２６１ａ…ＲＯＭ、２６１ｂ
…ＲＡＭ、２６１ｃ…不揮発性メモリ、２６１ｄ・・・画質調整制御部、２６１ｅ・・・
電源切替制御部。
【図１】
2009246882.tif 000003
【図２】
2009246882.tif 000004
【図３】
2009246882.tif 000005
【図４】
2009246882.tif 000006
【図５】
2009246882.tif 000007
【図６】
2009246882.tif 000008
【図７】
2009246882.tif 000009
【図８】
2009246882.tif 000010
【図９】
2009246882.tif 000011